【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法において、
アップリンク同期化のために指定された、物理ランダムアクセスチャネル（ＰＲＡＣＨ）期間内で割り振られたリソースのセットを決定することと、
デバイスとのアップリンク同期化を可能にするために、前記決定した割り振られたリソースのセット中でパイロット信号の第１のセットおよび第２のセットを前記デバイスに送信することとを含み、
前記ＰＲＡＣＨ期間はスロットのセットを含み、
前記スロットのセットの各スロットは、シンボルのセットを含み、
前記割り振られたリソースのセットを決定することは、
前記パイロット信号を送信するために、前記ＰＲＡＣＨ期間内のシンボルの第１のセットとシンボルの第２のセットとを決定することと、
パイロット信号の第１のセットを送信するために、前記シンボルの第１のセット内のトーンインデックスの第１のセットを決定することと、
パイロット信号の第２のセットを送信するために、前記シンボルの第２のセット内のトーンインデックスの第２のセットを決定することとを含み、
前記トーンインデックスの第２のセットは、前記トーンインデックスの第１のセットからのオフセット値に基づいて決定される方法。
【請求項２】
シンボルの各セット中の各シンボルは、トーンのセットを含む請求項１記載の方法。
【請求項３】
前記割り振られたリソースのセットを決定することは、前記パイロット信号の第１のセットおよび第２のセットを送信するために、前記ＰＲＡＣＨ期間中における前記スロットのサブセット中の各スロット内のシンボルのサブセットを決定することをさらに含み、
前記各スロット内のシンボルのサブセットは、２より大きいか、または、等しい請求項１記載の方法。
【請求項４】
前記パイロット信号の第１のセットは、少なくとも２つのパイロット信号を有し、前記パイロット信号の第２のセットは、少なくとも２つのパイロット信号を有する請求項１記載の方法。
【請求項５】
前記決定した割り振られたリソースのセット中で情報を送信することをさらに含み、
前記情報は、識別子、制御情報、または、パス損失報告のうちの少なくとも１つを含む請求項１記載の方法。
【請求項６】
前記割り振られたリソースのセットを決定することは、
パイロット信号を送信する前記ＰＲＡＣＨ期間内の少なくともシンボルの第３のセットを決定することと、
パイロット信号の第３のセットを送信するために、前記シンボルの第３のセット内の少なくともトーンインデックスの第３のセットを決定することと、
前記決定した割り振られたリソースのセット中で前記パイロット信号の第３のセットを前記デバイスに送信することとをさらに含み、
前記トーンインデックスの第３のセットは、前記トーンインデックスの第２のセットからの第２のオフセット値に基づいて決定される請求項１記載の方法。
【請求項７】
前記シンボルの第３のセットは、前記シンボルの第２のセットとは異なる請求項６記載の方法。
【請求項８】
前記第２のオフセット値は、前記オフセット値と同じであるか、または、異なる請求項６記載の方法。
【請求項９】
前記オフセット値と前記第２のオフセット値は、１より大きいか、または、等しい値を有している請求項６記載の方法。
【請求項１０】
パイロット信号のみが、前記シンボルのセット中で送信され、または、情報信号およびパイロット信号が、前記シンボルのセット中で送信される請求項１記載の方法。
【請求項１１】
ワイヤレス通信のための装置において、
メモリと、
前記メモリに結合されている少なくとも１つのプロセッサとを具備し、
前記少なくとも１つのプロセッサは、
アップリンク同期化のために指定された、物理ランダムアクセスチャネル（ＰＲＡＣＨ）期間内で割り振られたリソースのセットを決定するようにと、
デバイスとのアップリンク同期化を可能にするために、前記決定した割り振られたリソースのセット中でパイロット信号の第１のセットおよび第２のセットを前記デバイスに送信するように構成され、
前記ＰＲＡＣＨ期間はスロットのセットを含み、
前記スロットのセットの各スロットは、シンボルのセットを含み、
前記少なくとも１つのプロセッサは、
前記パイロット信号を送信するために、前記ＰＲＡＣＨ期間内のシンボルの第１のセットとシンボルの第２のセットを決定することと、
パイロット信号の第１のセットを送信するために、前記シンボルの第１のセット内のトーンインデックスの第１のセットを決定することと、
パイロット信号の第２のセットを送信するために、前記シンボルの第２のセット内のトーンインデックスの第２のセットを決定することとによって、前記割り振られたリソースのセットを決定するように構成され、
前記トーンインデックスの第２のセットは、前記トーンインデックスの第１のセットからのオフセット値に基づいて決定される装置。
【請求項１２】
シンボルの各セット中の各シンボルは、トーンのセットを含む請求項１１記載の装置。
【請求項１３】
前記少なくとも１つのプロセッサは、
前記パイロット信号の第１のセットおよび第２のセットを送信するために、前記ＰＲＡＣＨ期間中における前記スロットのサブセット中の各スロット内のシンボルのサブセットを決定することによって、前記割り振られたリソースのセットを決定するように構成され、
前記各スロット内のシンボルのサブセットは、２より大きいか、または、等しい請求項１１記載の装置。
【請求項１４】
前記パイロット信号の第１のセットは、少なくとも２つのパイロット信号を有し、前記パイロット信号の第２のセットは、少なくとも２つのパイロット信号を有する請求項１１記載の装置。
【請求項１５】
前記少なくとも１つのプロセッサは、
前記決定した割り振られたリソースのセット中で情報を送信するようにさらに構成され、
前記情報は、識別子、制御情報、または、パス損失報告のうちの少なくとも１つを含む請求項１１記載の装置。
【手続補正２】
【補正対象書類名】明細書
【補正対象項目名】００５３
【補正方法】変更
【補正の内容】
【００５３】
［００６０］
先の説明は、当業者がここで説明したさまざまな態様を実施できるようにするために提供している。これらの態様へのさまざまな修正は、当業者にとって容易に明らかとなり、ここで定義された包括的な原理は、他の態様に適用してもよい。したがって、特許請求の範囲は、ここで示した態様を限定するように意図されているものではなく、言語的特許請求の範囲と一貫する全範囲に一致すべきである。ここにおいて、単数形での要素への言及は、そうであると特に述べられていない限り、「１つであり１つだけ」ではなく、むしろ「１つ以上」を意味するように意図されている。用語「例示的」は、ここでは、「例、事例、または実例としての役割を果たす」という意味で使用される。「例示的」なものとしてここで説明する任意の態様は、必ずしも、他の態様よりも好ましい、または利点を有すると解釈すべきではない。そうでないと具体的に述べられない限り、用語「いくつかの」は、１つ以上を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであることができ、ここで、任意のこのような組み合わせは、Ａ、Ｂ、またはＣの１つ以上のメンバーを含むことができる。当業者に知られている、あるいは後に知られることになる本開示全体に渡って説明されているさまざまな態様の要素に対するすべての構造的および機能的な均等物は、参照によってここに明確に組み込まれ、特許請求の範囲によって包含されるように意図されている。さらに、ここに開示したものは何れも、このような開示が特許請求の範囲において明示的に規定されているか否かにかかわらず、公に捧げられることを意図していない。「・・・する手段」というフレーズを使用して要素を明示的に規定していない限り、特許請求の範囲のいずれの要素も、ミーンズプラスファンクションとして解釈すべきでない。
以下に、本願出願の当初の特許請求の範囲に記載された発明を付記する。
［１］  ユーザ機器（ＵＥ）によるワイヤレス通信の方法において、
物理ランダムアクセスチャネル（ＰＲＡＣＨ）期間内で割り振られたリソースのセットを決定することと、
前記決定した割り振られたリソースのセット中でパイロット信号を送信することとを含む方法。
［２］  前記ＰＲＡＣＨ期間はスロットのセットを有し、
前記スロットのセット中の各スロットは、セットシンボルを含み、
シンボルの各セット中の各シンボルは、トーンのセットを含む［１］記載の方法。
［３］  前記割り振られたリソースのセットを決定することは、
前記パイロット信号を送信するために、前記ＰＲＡＣＨ期間中における前記スロットのセット内のスロットのサブセットを決定することと、
パイロット信号の第１のセットを送信するために、偶数のインデックス付けされたスロットのセット中のトーンインデックスの第１のセットを決定することと、
パイロット信号の第２のセットを送信するために、奇数のインデックス付けされたスロットのセット中のトーンインデックスの第２のセットを決定することとを含み、
前記スロットのサブセットは、前記偶数のインデックス付けされたスロットのセットと前記奇数のインデックス付けされたスロットのセットとを含み、
前記トーンインデックスの第２のセットは、前記トーンインデックスの第１のセットとオフセット値とに基づいている［２］記載の方法。
［４］  前記割り振られたリソースのセットを決定することは、前記パイロット信号を送信するために、前記ＰＲＡＣＨ期間中における前記スロットのサブセット中の各スロット内のシンボルのサブセットを決定することをさらに含み、
前記各スロット内のシンボルのサブセットは、２より大きいか、または、等しい［３］記載の方法。
［５］  前記パイロット信号の第１のセットは、少なくとも２つのパイロット信号を有し、前記パイロット信号の第２のセットは、少なくとも２つのパイロット信号を有する［３］記載の方法。
［６］  前記決定した割り振られたリソースのセット中で情報を送信することをさらに含み、
前記情報は、識別子、制御情報、または、パス損失報告のうちの少なくとも１つを含む［１］記載の方法。
［７］  ワイヤレス通信のための装置において、
メモリと、
前記メモリに結合されている少なくとも１つのプロセッサとを具備し、
前記少なくとも１つのプロセッサは、
物理ランダムアクセスチャネル（ＰＲＡＣＨ）期間内で割り振られたリソースのセットを決定するようにと、
前記決定した割り振られたリソースのセット中でパイロット信号を送信するように構成されている装置。
［８］  前記ＰＲＡＣＨ期間はスロットのセットを有し、
前記スロットのセット中の各スロットは、セットシンボルを含み、
シンボルの各セット中の各シンボルは、トーンのセットを含む［７］記載の装置。
［９］  前記少なくとも１つのプロセッサは、
前記パイロット信号を送信するために、前記ＰＲＡＣＨ期間中における前記スロットのセット内のスロットのサブセットを決定することと、
パイロット信号の第１のセットを送信するために、偶数のインデックス付けされたスロットのセット中のトーンインデックスの第１のセットを決定することと、
パイロット信号の第２のセットを送信するために、奇数のインデックス付けされたスロットのセット中のトーンインデックスの第２のセットを決定することとによって、前記割り振られたリソースのセットを決定するように構成され、
前記スロットのサブセットは、前記偶数のインデックス付けされたスロットのセットと前記奇数のインデックス付けされたスロットのセットとを含み、
前記トーンインデックスの第２のセットは、前記トーンインデックスの第１のセットとオフセット値とに基づいている［８］記載の装置。
［１０］  前記少なくとも１つのプロセッサは、
前記パイロット信号を送信するために、前記ＰＲＡＣＨ期間中における前記スロットのサブセット中の各スロット内のシンボルのサブセットを決定することによって、前記割り振られたリソースのセットを決定するように構成され、
前記各スロット内のシンボルのサブセットは、２より大きいか、または、等しい［９］記載の装置。
［１１］  前記パイロット信号の第１のセットは、少なくとも２つのパイロット信号を有し、前記パイロット信号の第２のセットは、少なくとも２つのパイロット信号を有する［９］記載の装置。
［１２］  前記少なくとも１つのプロセッサは、
前記決定した割り振られたリソースのセット中で情報を送信するようにさらに構成され、
前記情報は、識別子、制御情報、または、パス損失報告のうちの少なくとも１つを含む［７］記載の装置。
［１３］  ワイヤレス通信のための装置において、
前記装置はユーザ機器（ＵＥ）であり、
物理ランダムアクセスチャネル（ＰＲＡＣＨ）期間内で割り振られたリソースのセットを決定する手段と、
前記決定した割り振られたリソースのセット中でパイロット信号を送信する手段とを具備する装置。
［１４］  前記ＰＲＡＣＨ期間はスロットのセットを有し、
前記スロットのセット中の各スロットは、セットシンボルを含み、
シンボルの各セット中の各シンボルは、トーンのセットを含む［１３］記載の装置。
［１５］  前記割り振られたリソースのセットを決定する手段は、
前記パイロット信号を送信するために、前記ＰＲＡＣＨ期間中における前記スロットのセット内のスロットのサブセットを決定するようにと、
パイロット信号の第１のセットを送信するために、偶数のインデックス付けされたスロットのセット中のトーンインデックスの第１のセットを決定するようにと、
パイロット信号の第２のセットを送信するために、奇数のインデックス付けされたスロットのセット中のトーンインデックスの第２のセットを決定するように構成され、
前記スロットのサブセットは、前記偶数のインデックス付けされたスロットのセットと前記奇数のインデックス付けされたスロットのセットとを含み、
前記トーンインデックスの第２のセットは、前記トーンインデックスの第１のセットとオフセット値とに基づいている［１４］記載の装置。
［１６］  前記割り振られたリソースのセットを決定する手段は、前記パイロット信号を送信するために、前記ＰＲＡＣＨ期間中における前記スロットのサブセット中の各スロット内のシンボルのサブセットを決定するようにさらに構成され、
前記各スロット内のシンボルのサブセットは、２より大きいか、または、等しい［１５］記載の装置。
［１７］  前記パイロット信号の第１のセットは、少なくとも２つのパイロット信号を有し、前記パイロット信号の第２のセットは、少なくとも２つのパイロット信号を有する［１５］記載の装置。
［１８］  前記決定した割り振られたリソースのセット中で情報を送信する手段をさらに具備し、
前記情報は、識別子、制御情報、または、パス損失報告のうちの少なくとも１つを含む［１３］記載の装置。
［１９］  ユーザ機器（ＵＥ）によるワイヤレス通信のためのコンピュータ実行可能なコードを記憶するコンピュータ読取可能媒体において、
物理ランダムアクセスチャネル（ＰＲＡＣＨ）期間内で割り振られたリソースのセットを決定するためのコードと、
前記決定した割り振られたリソースのセット中でパイロット信号を送信するためのコードとを含むコンピュータ読取可能媒体。
［２０］  ワイヤレスデバイスのためのワイヤレス通信の方法において、
ユーザ機器（ＵＥ）からのデータ送信を受信することと、
前記受信したデータ送信に基づいて、チャネル位相オフセットを決定することと、
前記決定したチャネル位相オフセットに基づいて、タイミングオフセットを決定することと、
肯定応答メッセージを前記ＵＥに送信することとを含み、
前記肯定応答メッセージは、前記決定したタイミングオフセットを含む方法。
［２１］  前記データ送信は、物理ランダムアクセスチャネル（ＰＲＡＣＨ）期間内で割り振られたリソースのセット中で受信される［２０］記載の方法。
［２２］  前記データ送信はパイロット信号を含み、
前記パイロット信号は、トーンインデックスの第１のセットとトーンインデックスの第２のセット中で受信され、
前記トーンインデックスの第１のセットは、前記ＰＲＡＣＨ期間の偶数のインデックス付けされたスロットのセットに関係付けられ、前記トーンインデックスの第２のセットは、前記ＰＲＡＣＨ期間の奇数のインデックス付けされたスロットのセットに関係付けられ、
前記トーンインデックスの第２のセットは、前記トーンインデックスの第１のセットとオフセット値とに基づいている［２１］記載の方法。
［２３］  前記データ送信は、識別子、制御情報、または、パス損失報告のうちの少なくとも１つをさらに含む請求２２記載の方法。
［２４］  前記チャネル位相オフセットを決定することは、
前記受信したデータ送信に基づいて、第１のチャネル位相オフセットを決定することと、
前記受信したデータ送信に基づいて、第２のチャネル位相オフセットを決定することとを含み、
前記タイミングオフセットを決定することは、前記第１のチャネル位相オフセットと前記第２のチャネル位相オフセットとに基づいて、前記タイミングオフセットを決定することを含む［２０］記載の方法。
［２５］  ワイヤレス通信のための装置において、
メモリと、
前記メモリに結合されている少なくとも１つのプロセッサとを具備し、
前記少なくとも１つのプロセッサは、
ユーザ機器（ＵＥ）からのデータ送信を受信するようにと、
前記受信したデータ送信に基づいて、チャネル位相オフセットを決定するようにと、
前記決定したチャネル位相オフセットに基づいて、タイミングオフセットを決定するようにと、
肯定応答メッセージを前記ＵＥに送信するように構成され、
前記肯定応答メッセージは、前記決定したタイミングオフセットを含む装置。
［２６］  前記データ送信は、物理ランダムアクセスチャネル（ＰＲＡＣＨ）期間内で割り振られたリソースのセット中で受信される［２５］記載の装置。
［２７］  前記データ送信はパイロット信号を含み、
前記パイロット信号は、トーンインデックスの第１のセットとトーンインデックスの第２のセット中で受信され、
前記トーンインデックスの第１のセットは、前記ＰＲＡＣＨ期間の偶数のインデックス付けされたスロットのセットに関係付けられ、前記トーンインデックスの第２のセットは、前記ＰＲＡＣＨ期間の奇数のインデックス付けされたスロットのセットに関係付けられ、
前記トーンインデックスの第２のセットは、前記トーンインデックスの第１のセットとオフセット値とに基づいている［２６］記載の装置。
［２８］  前記データ送信は、識別子、制御情報、または、パス損失報告のうちの少なくとも１つをさらに含む請求２７記載の装置。
［２９］  前記少なくとも１つのプロセッサは、
前記受信したデータ送信に基づいて、第１のチャネル位相オフセットを決定することと、
前記受信したデータ送信に基づいて、第２のチャネル位相オフセットを決定することとによって、前記チャネル位相オフセットを決定するように構成され、
前記タイミングオフセットを決定することは、前記第１のチャネル位相オフセットと前記第２のチャネル位相オフセットとに基づいて、前記タイミングオフセットを決定することを含む［２５］記載の装置。
［３０］  ワイヤレス通信のための装置において、
ユーザ機器（ＵＥ）からのデータ送信を受信する手段と、
前記受信したデータ送信に基づいて、チャネル位相オフセットを決定する手段と、
前記決定したチャネル位相オフセットに基づいて、タイミングオフセットを決定する手段と、
肯定応答メッセージを前記ＵＥに送信する手段とを具備し、
前記肯定応答メッセージは、前記決定したタイミングオフセットを含む装置。
［３１］  前記データ送信は、物理ランダムアクセスチャネル（ＰＲＡＣＨ）期間内で割り振られたリソースのセット中で受信される［３０］記載の装置。
［３２］  前記データ送信はパイロット信号を含み、
前記パイロット信号は、トーンインデックスの第１のセットとトーンインデックスの第２のセット中で受信され、
前記トーンインデックスの第１のセットは、前記ＰＲＡＣＨ期間の偶数のインデックス付けされたスロットのセットに関係付けられ、前記トーンインデックスの第２のセットは、前記ＰＲＡＣＨ期間の奇数のインデックス付けされたスロットのセットに関係付けられ、
前記トーンインデックスの第２のセットは、前記トーンインデックスの第１のセットとオフセット値とに基づいている［３１］記載の装置。
［３３］  前記データ送信は、識別子、制御情報、または、パス損失報告のうちの少なくとも１つをさらに含む請求３２記載の装置。
［３４］  前記チャネル位相オフセットを決定する手段は、
前記受信したデータ送信に基づいて、第１のチャネル位相オフセットを決定するようにと、
前記受信したデータ送信に基づいて、第２のチャネル位相オフセットを決定するように構成され、
前記タイミングオフセットを決定することは、前記第１のチャネル位相オフセットと前記第２のチャネル位相オフセットとに基づいて、前記タイミングオフセットを決定することを含む［３０］記載の装置。
［３５］  ワイヤレス通信のためのコンピュータ実行可能なコードを記憶するコンピュータ読取可能媒体において、
ユーザ機器（ＵＥ）からのデータ送信を受信するためのコードと、
前記受信したデータ送信に基づいて、チャネル位相オフセットを決定するためのコードと、
前記決定したチャネル位相オフセットに基づいて、タイミングオフセットを決定するためのコードと、
肯定応答メッセージを前記ＵＥに送信するためのコードとを含み、
前記肯定応答メッセージは、前記決定したタイミングオフセットを含むコンピュータ読取可能媒体。